(57)【特許請求の範囲】
【請求項１】
化粧品内容物が収納される収納容器の上部にポンプユニットが結合したポンプ容器と、
前記ポンプ容器が内部に着脱可能に設けられる容器本体と、
前記容器本体の上部に結合し、化粧品内容物の移動路を形成するノズルおよびスイッチのオン／オフ（ｏｎ／ｏｆｆ）によって作動する振動手段が内在される、ハウジングと、
前記ハウジングの上端の内部に挿嵌されて嵌合され、下部キャップと上部キャップとの間にマッサージボールが設けられたマッサージ部と、
前記ハウジングの上端の外部に着脱可能に備えられ、前記マッサージ部を保護する蓋と、を備える、振動手段が設けられたポンプ式マッサージ容器。
【請求項２】
前記収納容器においては、前記収納容器の上端に結合される前記ポンプユニットの反対側に押圧ボタンと、前記収納容器の下部外側に押圧止め突起とが設けられ、
前記収納容器の押圧止め突起が前記容器本体の下部内側の押圧防止手段に内在し、前記押圧ボタンの回動有無に応じて押圧操作されて前記ポンプユニットの作動を制御することを特徴とする 、請求項１に記載の振動手段が設けられたポンプ式マッサージ容器。
【請求項３】
前記ハウジングは、
前記容器本体の上部に結合し、内部に中空を形成し、一側が開放された収容溝を有するハウジング体と、
前記ハウジング体の内部に備えられ、化粧品内容物の移動する移動路を有するノズル と、
前記ハウジング体の収容溝を通して前記ハウジング体の内部に着脱可能に設けられ、前記ハウジング体の内部に備えられた状態で外部に露出したスイッチの操作によって作動して振動を発生させる振動手段と、
前記ハウジング体の収容溝に着脱可能に取り付けられ、中央には前記スイッチが結合されるスイッチ部を有する仕上げ板と、
前記仕上げ板のスイッチ部に係合され、前記作動手段を作動させるスイッチと、
を備える、請求項１に記載の振動手段が設けられたポンプ式マッサージ容器。
【発明の詳細な説明】
【技術分野】
【０００１】
本発明は、振動手段が設けられたポンプ式マッサージ容器に係り、さらに詳しくは、容器本体の内部に着脱可能なポンプ容器を備え、容器本体の上部に結合するハウジングの内部には着脱可能な振動手段を備えることにより、ポンプ容器および振動手段の取り替えを容易かつ便利に行うことができるようにした、振動手段を有するポンプ式マッサージ容器に関する。
【背景技術】
【０００２】
一般に、振動手段を有するマッサージ容器は、化粧品内容物が収容されるチューブ型容器体と、振動を発生させる振動手段と、マッサージを行うためのマッサージ部とを一体に備えて構成される。
【０００３】
この種のマッサージ容器は、使用者がチューブ型容器体の内部に収容された化粧品内容物を、使用しようとする部位に吐き出させた後、マッサージ部を用いて化粧品内容物が皮膚に染み込むようにマッサージする。
【０００４】
前記マッサージ容器によれば、振動手段を作動させ、振動手段に発生する振動を用いてマッサージ機能を行うようにすることもできる。
上述したような従来の振動手段が設けられたマッサージ容器は、内部に収容された化粧品内容物を吐き出させるために、チューブ型容器体から内容物を絞り出さなければならないという煩わしさがあった。
【０００５】
また、従来のマッサージ容器は、チューブ型容器体、振動手段、およびマッサージ部を一体に備えて構成されるので、化粧品内容物を使い切った後には化粧品内容物のみを別途購買することができないため、既存のマッサージ容器を捨てて新しく購入しなければならないという欠点があった。
【０００６】
その上、従来のマッサージ容器は、内部に備えられた振動手段がバッテリーによって電源の供給を受けて作動するため、バッテリーが切れたときにバッテリーを取り替えなければならないが、振動手段からバッテリーを容易に分離することができなくてバッテリーの取替えが難しいという欠点があった。
【発明の概要】
【発明が解決しようとする課題】
【０００７】
本発明は、上述の問題点を解決するためになされたもので、その目的は、容器本体の内部に着脱可能なポンプ容器を備え、容器本体の上部に結合するハウジングの内部には着脱可能な振動手段を備えることにより、ポンプ容器および振動手段の取り替えを容易かつ便利に行うことができるようにした、振動手段を有するポンプ式マッサージ容器を提供することにある。
【課題を解決するための手段】
【０００８】
上記目的は、化粧品内容物が収納される収納容器の上部にポンプユニットが結合したポンプ容器と、前記ポンプ容器が内部に着脱可能に備えられる容器本体と、前記容器本体の上部に結合し、化粧品内容物の移動路を形成するノズルおよびスイッチのオン／オフ（ｏｎ／ｏｆｆ）によって作動する振動手段が内在するハウジングと、前記ハウジングの上端の内部に挿嵌され、嵌合された下部キャップと上部キャップとの間にマッサージボールを有するマッサージ部と、前記ハウジングの上端の外部に着脱可能に備えられ、前記マッサージ部を保護する蓋とを備える、振動手段が設けられたポンプ式マッサージ容器によって達成される。
【０００９】
前記収納容器は、上端に結合する前記ポンプユニットの反対側に押圧ボタンが設けられ、下部外側に押圧止め突起が設けられることを特徴とする。
【００１０】
前記収納容器の押圧止め突起を前記容器本体の下部内側に形成された押圧防止手段に内在し、前記押圧ボタンの回動有無による押圧操作により前記ポンプユニットの作動を制御することを特徴とする。
【００１１】
前記ハウジングは、前記容器本体の上部に結合し、内部に中空を形成し、一側開放の収容溝を有するハウジング体と、前記ハウジング体の内部に備えられ、化粧品内容物の移動する移動路を有するノズルと、前記ハウジング体の収容溝を通して前記ハウジング体の内部に着脱可能に設けられ、前記ハウジング体の内部に備えられた状態で外部に露出したスイッチの操作によって作動して振動を発生させる振動手段と、前記ハウジング体の収容溝に着脱可能に取り付けられ、中央には前記スイッチが係合されるスイッチ部を有する仕上げ板と、前記仕上げ板のスイッチ部に係合され、前記作動手段を作動させるスイッチと、を備えることを特徴とする。
【発明の効果】
【００１２】
したがって、本発明の振動手段が設けられたポンプ式マッサージ容器によれば、容器本体の内部に着脱可能なポンプ容器を備え、容器本体の上部に結合するハウジングの内部には着脱可能な振動手段を設けられることにより、ポンプ容器および振動手段の取り替えを容易かつ便利に行うことができるという利点がある。
【００１３】
本発明に係る振動手段が設けられたポンプ式マッサージ容器は、収納された化粧品内容物を使い切ったときにポンプ容器のみを取り替えて使用することにより、半永久的に使用することができるため、コスト削減効果だけでなく、使用上便利であるという利点がある。
【００１４】
本発明に係る振動手段が設けられたポンプ式マッサージ容器は、マッサージ容器の内部に備える振動手段のモーターに電源を供給するバッテリーが切れたときにバッテリーのみを取り替えて使用することにより、振動手段を有するポンプ式マッサージ容器を半永久的に使用することができるため、コスト削減効果だけでなく、使用上便利であるという利点がある。
【図面の簡単な説明】
【００１５】
【図１】本発明に係る振動手段が設けられたポンプ式マッサージ容器を示す斜視図である。
【図２】本発明に係る振動手段が設けられたポンプ式マッサージ容器を分解して示す分解斜視図である。
【図３】本発明に係る振動手段が設けられたポンプ式マッサージ容器の断面を示す断面図である。
【発明を実施するための形態】
【００１６】
本明細書および請求の範囲に使用された用語または単語は、通常的または辞典的な意味で限定して解釈されてはならず、発明者は自分の発明を最善の方法で説明するために用語の概念を適切に定義することができるという原則に立脚して、本発明の技術的思想に符合する意味と概念で解釈されるべきである。
【００１７】
以下に添付図面を参照しながら、本発明に係る振動手段が設けられたポンプ式マッサージ容器１００を説明する。
【００１８】
本発明に係る振動手段が設けられたポンプ式マッサージ容器１００は、化粧品内容物の収納される収納容器１１１の上部にポンプユニット１１３が結合するポンプ容器１１０と、ポンプ容器１１０が着脱可能に内在される容器本体１２０と、容器本体１２０の上部に結合し、内部にノズル１３３および振動手段１３５を設けられるハウジング１３０と、ハウジング１３０の上部に結合してマッサージを行うマッサージ部１４０と、マッサージ部１４０の上部に設けられる蓋１５０とを備えて構成される。
【００１９】
ポンプ容器１１０は、図２および図３に示すように、化粧品内容物が収納される収納容器１１１と、化粧品内容物を吐き出させるポンプユニット１１３との組み合わせからなる。
【００２０】
収納容器１１１の上部にはポンプユニット１１３の結合する開口部１１１ａが設けられ、収納容器の開口部１１１ａの反対側には押圧ボタン１１１ｂが設けられる。収納容器１１１の下部外側には容器本体１２０の押圧防止手段１２０ｃに設けられる圧止め突起１１１ｃが突設される。収納容器１１１の内部には化粧品内容物を真空圧によって押し上げる昇降ピストン１１２が備えられる。
【００２１】
ポンプユニット１１３は、収納容器１１１の開口部１１１ａの外周縁に結合するポンプヘッド１１３ａと、ポンプヘッド１１３ａの下部に取り付けられるポンプシリンダー１１３ｂと、ポンプシリンダー１１３ｂの内部に設置され、化粧品内容物の移動する移送路１１３ｃ−１を有する作動ピストン１１３ｃと、作動ピストン１１３ｃの外側に設置され、加圧ピストン１１３ｅによって移送路１１３ｃ−１を開閉する役割を果たす密閉ピストン１１３ｄと、作動ピストン１１３ｃと密閉ピストン１１３ｄに外力を加える加圧ピストン１１３ｅと、ポンプヘッド１１３ａと加圧ピストン１１３eとの間に設けられ、加圧によって押圧された加圧ピストン１１３eを原位置に復帰させる役割を果たすバネ１１３ｆと、ポンプシリンダー１１３ｂの内側下部に設置され、化粧品内容物がポンプシリンダー１１３ｂの内部にのみ移動するようにする役割を果たす逆止弁１１３ｇとから構成される。
【００２２】
以下、上述したような本発明に係る振動手段が設けられた化粧品容器１００の構成要素のうち、化粧品内容物を吐き出させるポンプ容器１１０の作動を具体的に説明する。
【００２３】
まず、押圧ボタン１１１ｂに外力を加えると、押圧ボタン１１ｂにリンクされた加圧ピストン１１３ｅが、加圧ピストン１１３ｅに結合している作動ピストン１１３ｃと密閉ピストン１１３ｄを移動させて、密閉ピストン１１３ｄにより閉鎖されていた移送路１１３ｃ−１を開放させる。
【００２４】
この際、作動ピストン１１３ｃと密閉ピストン１１３ｄが移動してポンプシリンダー１１３ｂの内部空間が狭小になることにより圧力が増加し、ポンプシリンダー１１３ｂ内に収納された化粧品内容物が移送路１１３ｃ−１に沿って外部に吐き出される。
【００２５】
押圧ボタン１１１ｂに加えた外力を解除すると、ポンプヘッド１１３ａと加圧ピストン１１３ｅとの間で圧縮されていたバネ１１３ｆの弾性復元力によって加圧ピストン１１３ｅが上昇しながら、加圧ピストン１１３ｅに結合している作動ピストン１１３ｃと密閉ピストン１１３ｄが上部に移動することにより、開放されていた移送路１１３ｃ−１が密閉ピストン１１３ｄによって閉鎖される。
【００２６】
この際、作動ピストン１１３ｃと密閉ピストン１１３ｄが上部に移動してポンプシリンダー１１３ｂの内部空間が広くなることにより真空圧が発生し、収納容器１１１に収容された化粧品内容物が逆止弁１１３ｇを介してポンプシリンダー１１３ｂの内部に再び移送される。
【００２７】
容器本体１２０は、図１〜図３に示すように、ポンプ容器１１０が着脱可能に挿入できるように下端がポンプ容器１１０の外郭外周の直径に相当する直径に凹設される。容器本体１２０は、上部に設けられた結合部１２０ａの内側平面の中央には化粧品内容物の移動のための孔１２０ｂが穿設され、下部内側面には収納容器１１１の押圧止め突起１１１ｃに係合される押圧防止手段１２０ｃが設けられる。
【００２８】
上述したような本発明に係る振動手段が設けられたポンプ式マッサージ容器１００は、容器本体１２０に設けられた押圧防止手段１２０ｃに押圧止め突起１１１ｃが設けられることにより、押圧ボタン１１１ｂの回動有無に応じて押圧操作されてポンプユニット１１３を作動させるか、或いは押圧操作を防止してポンプユニット１１３の作動を中止させるのである。
【００２９】
ハウジング１３０は、図１〜図３に示すように、容器本体１２０に設けられた結合部１２０ａの外側に下端が嵌合されるハウジング体１３１と、容器本体１２０の結合部１２０ａの内側にに挿嵌され、ハウジング体１３１の内部に内在するノズル１３３と、ハウジング体１３１の内部に着脱可能に設けられる振動手段１３５と、振動手段１３５の離脱を防止する仕上げ板１３７と、仕上げ板１３７の中央に設置され、振動手段１３５を操作するスイッチ１３９とから構成される。
【００３０】
ハウジング体１３１は、内部に上下方向に貫設された中空を有し、一側面が開放されたの収容溝１３１ａが設けられる。ハウジング体１３１に設けられた収容溝１３１ａは、内側面には仕上げ板１３７の係合突起１３７ｂが係合される係合溝１３１ｂが設けられ、外側面には仕上げ板１３７を分離することが可能な凹溝１３１ｃが設けられる。
ノズル１３３は、下部が容器本体１２０の結合部１２０ａ内に挿嵌された状態でハウジング体１３１の内部に内在する。ノズル１３３の内部には化粧品内容物の移動する移動路１３３ａが貫設される。
【００３１】
振動手段１３５は、回転運動を発生させるモーター１３５ｂと、モーター１３５ｂの回転によって回転運動を行う回転体１３５ａと、モーター１３５ｂに電源を供給するバッテリー１３５ｃと、モーター１３５ｂとバッテリー１３５ｃを連結する連結部材１３５ｄとからなる。振動手段１３５は、ハウジング体１３１に設けられた収容溝１３１ａを通してハウジング体１３１の内部に着脱可能に設けられ、スイッチ１３９の操作に応じて変形する連結部材１３５ｄを介してモーター１３５ｂとバッテリー１３５ｃとを連結させて回転体１３５ａが回転運動を行うようにすることにより振動を発生させる。
【００３２】
仕上げ板１３７の外側面の中央には、スイッチ１３９が係合されて上下に操作可能なスイッチ部１３７ａが貫設される。仕上げ板１３７の内側面には、ハウジング体１３１の収容溝１３１ａに設けられた係合溝１３１ｂに係合される係合突起１３７ｂが設けられる。仕上げ板１３７は、内側面に設けられた係合突起１３７ｂが、ハウジング体１３１の収容溝１３１ａに設けられた係合溝１３１ｂに着脱可能に係合される。
【００３３】
スイッチ１３９の内側面には、仕上げ板１３７のスイッチ部１３７ａに貫入して連結部材１３５ｄを変形させる突起１３９ａが突設される。
【００３４】
マッサージ部１４０は、図２および図３に示すように、ハウジング１３０の上部内側に挿嵌されるもので、外体を形成する上部キャップ１４１と、上部キャップ１４１の下部に結合される下部キャップ１４３と、上部キャップ１４１と下部キャップ１４３との間に備えられるマッサージボール１４５とから構成される。
【００３５】
上部キャップ１４１は、下部キャップ１４３の上部に嵌合され、上部中央にマッサージボール１４５が外部に露出しながらも上部キャップ１４１を離脱しないように一定の直径を有する露出孔１４１ａが穿設される。
【００３６】
下部キャップ１４３は、上部が上部キャップ１４１の内部に挿嵌され、下部がハウジング１３０の上部内側に挿嵌される。下部キャップ１４３の上端部に設けられた陥没部１４３ａの一側面には化粧品内容物を吐き出す吐出孔１４３ｂが穿設され、下部キャップ１４３の下端部にはノズル１３３の上部を嵌め込む嵌込溝１４３ｃが設けられるが、嵌込溝１４３ｃは吐出孔１４３ｂの穿設された同心軸線に設けられる。
【００３７】
蓋１５０は、図１〜図３に示すように、マッサージ部１４０を外部から保護するために、ハウジング１３０の上部外側に着脱可能に備えられる。
【００３８】
次に、上述したような構成を持つ本発明に係る振動手段が設けられたポンプ式マッサージ容器１００を使用する過程について説明する。
【００３９】
まず、マッサージ部１４０を保護する蓋１５０を取り外した後、ポンプ容器１１０に収納された化粧品内容物を下部キャップ１４３の吐出孔１４３ｃを介して陥没部１４３ａに吐き出させる。
【００４０】
この過程で、吐き出された化粧品内容物はマッサージ部１４０に備えられたマッサージボール１４５にくっ付くことになる。
【００４１】
その後、前記マッサージボール１４５にくっ付いた化粧品内容物を、使用者が所望の部位に接触させて均一にマッサージする。
【００４２】
そして、マッサージ容器１００は、内部に備えられた振動手段１３５をスイッチ１３９の操作によって作動させた後で使用することにより、マッサージ効果を極大化する。
【符号の説明】
【００４３】
１００    マッサージ容器
１１０    ポンプ容器
１１１    収納容器
１１１ａ    開口部
１１１ｂ    押圧ボタン
１１１ｃ    押圧止め突起
１１２    昇降ピストン
１１３    ポンプユニット
１２０    容器本体
１２０ａ    結合部
１２０ｂ    孔
１２０ｃ    押圧防止手段
１３１    ハウジング体
１３１ａ    収容溝
１３１ｂ    係合溝
１３１ｃ    凹溝
１３３    ノズル
１３３ａ    移動路
１３５    振動手段
１３５ａ    回転体
１３５ｂ    モーター
１３５ｃ    バッテリー
１３５ｄ    連結部材
１３７    仕上げ板
１３７ａ    スイッチ部
１３７ｂ    係合突起
１３９    スイッチ
１３９ａ    突起
１４０    マッサージ部
１４１    上部キャップ
１４１ａ    露出孔
１４３    下部キャップ
１４３ａ    陥没部
１４３ｂ    吐出孔
１４３ｃ    嵌込溝
１４５    マッサージボール
１５０    蓋
【図１】
0005746433.tif 000002
【図２】
0005746433.tif 000003
【図３】
0005746433.tif 000004